(57)【要約】【課題】合成樹脂を含浸して木部材に貼り付けられた繊維シートの割れ又は剥離を防止し、木部材の接合部の強度低下を抑制する。【解決手段】柱３の下端面を土台２に突き当てて接合する木部材の接合部で、軸線方向に連続する複数の繊維を含む帯状繊維シート１１，１２，１３を、接合する双方の木部材の表面にわたって貼り付ける。帯状繊維シートは、繊維間に合成樹脂が含浸され、柱又は土台に接着された樹脂含浸部１４と、繊維が変形可能に露出され、木部材に対して接着されていない非含浸部１５とを有する。非含浸部は、樹脂含浸部の柱に接着された部分１１ａ，１２ａ，１３ａと第２の木部材に接着された部分１１ｂ，１２ｂ，１３ｂとの間に設けられている。非含浸部に代えて、樹脂含浸部に含浸された合成樹脂より弾性係数の小さい合成樹脂が含浸又は弾性係数の小さい合成樹脂で被覆された可撓部とすることもできる。【選択図】図１
2018131869.tif 000002
【特許請求の範囲】
【請求項１】
第１の木部材の端面を第２の木部材に突き当てて接合する木部材接合構造であって、
軸線方向に連続する複数の繊維を含む帯状繊維シートが、接合する双方の木部材の表面にわたって貼り付けられ、
前記帯状繊維シートは、合成樹脂が含浸されて前記第１の木部材又は前記第２の木部材に接着された樹脂含浸部と、前記繊維が変形可能に露出されて前記第１の木部材及び前記第２の木部材に対して接着されていない非含浸部とを有し、
前記非含浸部が、前記樹脂含浸部の前記第１の木部材に接着された部分と前記第２の木部材に接着された部分との間に設けられていることを特徴とする木部材接合構造。
【請求項２】
第１の木部材の端面を第２の木部材に突き当てて接合する木部材接合構造であって、
軸線方向に連続する複数の繊維を含む帯状繊維シートが、接合する双方の木部材の表面にわたって貼り付けられ、
前記帯状繊維シートは、合成樹脂が含浸されて前記第１の木部材又は前記第２の木部材に接着された樹脂含浸部と、前記樹脂含浸部に含浸された合成樹脂より弾性係数の小さい合成樹脂が含浸されるか、又は前記樹脂含浸部に含浸された合成樹脂より弾性係数の小さい合成樹脂で被覆されて前記第１の木部材及び前記第２の木部材に接着されていない可撓部とを有し、
前記可撓部が、前記樹脂含浸部の前記第１の木部材に接着された部分と前記第２の木部材に接着された部分との間に設けられていることを特徴とする木部材接合構造。
【請求項３】
前記第１の木部材の端面が前記第２の木部材に突き当てられた当接面の位置の両側にわたって前記非含浸部又は前記可撓部が設けられていることを特徴とする請求項１又は請求項２に記載の木部材接合構造。
【請求項４】
前記第１の木部材の端面は、該第１の木部材の軸線とほぼ直角方向に軸線を有する第２の木部材の表面に突き当てて接合されており、
前記帯状繊維シートは、前記第１の木部材及び前記第２の木部材の軸線方向と傾斜した方向に軸線を有するものを含み、
該帯状繊維シートは、前記樹脂含浸部の前記第１の木部材に接着された部分と前記第２の木部材に接着された部分との間に、前記第１の木部材及び前記第２の木部材と離れて張架された部分を有し、
前記張架された部分が前記非含浸部又は前記可撓部となっていることを特徴とする請求項１又は請求項２に記載の木部材接合構造。
【請求項５】
前記第１の木部材と前記第２の木部材との間で張架されるように貼り付けられた前記帯状繊維シートは、該帯状繊維シートの幅方向の位置によって所定幅当たりの繊維量が異なるものであることを特徴とする請求項４に記載の木部材接合構造。
【請求項６】
前記帯状繊維シートは、前記第１の木部材又は第２の木部材の表面の幅より小さい細幅の帯状となっており、複数の細幅の帯状繊維シートを幅方向に並べて前記第１の木部材及び前記第２の木部材に接着されていることを特徴とする請求項１から請求項５までのいずれかに記載の木部材接合構造。
【請求項７】
軸線方向に連続する複数の繊維を含み、接合される第１の木部材及び第２の木部材の表面にわたって貼り付けられる帯状繊維シートを有し、
前記帯状繊維シートは、合成樹脂が含浸されて前記第１の木部材又は前記第２の木部材に接着される樹脂含浸部と、前記繊維が変形可能に露出されている非含浸部とを有し、
前記非含浸部が、前記樹脂含浸部の前記第１の木部材に接着される部分と前記第２の木部材に接着される部分との間に設けられていることを特徴とする接合部補強材。
【請求項８】
軸線方向に連続する複数の繊維を含み、接合される第１の木部材及び第２の木部材の表面にわたって貼り付けられる帯状繊維シートを有し、
前記帯状繊維シートは、第１の合成樹脂が含浸されて前記第１の木部材又は前記第２の木部材に接着される樹脂含浸部と、前記第１の合成樹脂より弾性係数の小さい第２の合成樹脂が含浸され、又は前記第１の合成樹脂より弾性係数の小さい第２の合成樹脂で被覆された可撓部と有し、
前記可撓部が、前記樹脂含浸部の前記第１の木部材に接着される部分と前記第２の木部材に接着される部分との間に設けられていることを特徴とする接合部補強材。
【請求項９】
前記第１の木部材は、該第１の木材の端面を前記第２の木部材の表面に当接して接合されるものであり、
前記帯状繊維シートは、前記第１の木部材の軸線方向に前記繊維を向けて接着されるものと、前記第１の木部材及び前記２の木部材の軸線と傾斜した方向に前記繊維を向けて接着されるものとを含み、
前記繊維の方向の異なる複数の前記帯状繊維シートが重ね合わされ、前記樹脂含浸部に含浸された合成樹脂によって互いに接着されていることを特徴とする請求項７又は請求項８に記載の接合部補強材。
【発明の詳細な説明】
【技術分野】
【０００１】
本発明は、接合される木部材の双方にわたって繊維シートを貼り付け、これによって補強された木部材接合構造、及び繊維シートを用いて木部材の接合部を補強するための接合部補強材に関するものである。
【背景技術】
【０００２】
木造建築物の構造躯体を形成する柱や梁の接合部には、接合用の金物が広く用いられている。しかし、金物の取り付けにはボルトやビス等を用いることになり、柱や梁の木部材に断面欠損が生じる。また、ボルトを挿通するためのボルト穴の周囲、ビス等をねじ込んだ位置の周辺で応力の集中が生じ、構造部材が損傷することがある。
一方、既存の木造建築物の耐震改修や、地震等によって木部材の接合部に損傷が生じた木造建築物の補修においては、新たに金物を取り付けて補強することができない場合もある。
【０００３】
このような事情からアラミド繊維等の高張力の繊維をシート状に織った繊維シートを木部材の接合部に張り付けて補強する方法が、例えば特許文献１に提案されている。
この技術は、繊維をシート状に織ったものに合成樹脂を含浸させるとともに合成樹脂の接着力によって接合する木部材の双方にわたって繊維シートを貼り付けるものである。このように貼り付けられた繊維シートにより、接合された木部材を引き離そうとする方向の力に抵抗することができる。
【先行技術文献】
【特許文献】
【０００４】
【特許文献１】特開２００１−２７９８１４号公報
【発明の概要】
【発明が解決しようとする課題】
【０００５】
しかしながら、上記先行技術では次に述べるように解決が望まれる課題がある。
地震時等には繰り返し反転する方向の大きな力が木造建築物の構造躯体に作用し、柱や梁の接合部において表面に貼り付けられた繊維シートには引張方向の力と圧縮方向の力とが交互に作用することになる。木部材の接合部に圧縮力が作用すると木材の変形等が生じ、これにともなって合成樹脂が含浸された繊維シートにも変形が生じる。含浸された合成樹脂が硬化した繊維シートは曲げに対する剛性を備えており、繊維シートの面と直角方向に膨らみ出すように変形が生じると、木部材に貼り付けられている繊維シートを剥がす方向の力が作用することがある。このような力によって木部材と繊維シートと接着面の一部が剥離すると、双方を接合する力が低下することになる。
【０００６】
また、圧縮力の作用時に繊維シートが面外方向へ変形することによって、又は繊維シートの面内方向のせん断力により、含浸されて硬化している樹脂に割れが生じることがある。含浸されている合成樹脂に割れ生じると、その部分で繊維に大きな変形が生じ、繊維シートの弱点となってこの部分から破断するおそれが生じる。
なお、上記繊維シートの剥離や割れは、地震時に限らず、繊維シートに圧縮方向の力が作用したとき、含浸されている合成樹脂の伸びが追従できないほどの引張力が作用したとき等にも生じることがある。
【０００７】
本発明は、上記のような事情に鑑みてなされたものであり、その目的は、合成樹脂が含浸されて木部材に貼り付けられた繊維シートの割れ又は剥離を防止し、接合部の強度低下を抑制する木部材接合構造を提供すること、及びこの木部材接合構造で用いることができる接合部補強材を提供することである。
【課題を解決するための手段】
【０００８】
上記課題を解決するために、請求項１に記載の発明は、  第１の木部材の端面を第２の木部材に突き当てて接合する木部材接合構造であって、  軸線方向に連続する複数の繊維を含む帯状繊維シートが、接合する双方の木部材の表面にわたって貼り付けられ、  前記帯状繊維シートは、合成樹脂が含浸されて前記第１の木部材又は前記第２の木部材に接着された樹脂含浸部と、前記繊維が変形可能に露出されて前記第１の木部材及び前記第２の木部材に対して接着されていない非含浸部とを有し、  前記非含浸部が、前記樹脂含浸部の前記第１の木部材に接着された部分と前記第２の木部材に接着された部分との間に設けられている木部材接合構造を提供する。
【０００９】
本発明の木部材接合構造では、接合する２つの木部材にわたって貼り付けられた帯状繊維シートにより、双方の木部材が繊維の方向に引き離される相対的な変位を抑制し、接合部を補強することができる。また、樹脂含浸部の第１の木部材に接着された部分と第２の木部材に接着された部分との間に非含浸部が設けられているので、双方の木部材間で互いに押し付ける方向の相対的な変位又は接合面に沿った方向の相対的な変位が生じたときに非含浸部が変形し、帯状繊維シートを剥離する方向の力の発生を抑制することができる。また、非含浸部の変形によって帯状繊維シートに含浸した合成樹脂に割れが生じるのを抑制し、弱点の発生を防止することができる。
【００１０】
請求項２に係る発明は、  第１の木部材の端面を第２の木部材に突き当てて接合する木部材接合構造であって、  軸線方向に連続する複数の繊維を含む帯状繊維シートが、接合する双方の木部材の表面にわたって貼り付けられ、  前記帯状繊維シートは、合成樹脂が含浸されて前記第１の木部材又は前記第２の木部材に接着された樹脂含浸部と、前記樹脂含浸部に含浸された合成樹脂より弾性係数の小さい合成樹脂が含浸されるか、又は前記樹脂含浸部に含浸された合成樹脂より弾性係数の小さい合成樹脂で被覆されて前記第１の木部材及び前記第２の木部材に接着されていない可撓部と、を有し、  前記可撓部が、前記樹脂含浸部の前記第１の木部材に接着された部分と前記第２の木部材に接着された部分との間に設けられている木部材接合構造を提供するものである。
【００１１】
本発明の木部材接合構造では、請求項１に記載の発明と同様に、接合する２つの木部材にわたって貼り付けられた帯状繊維シートにより、双方の木部材が繊維の方向に引き離される相対的な変位を抑制し、接合部を補強することができる。また、可撓部が柔軟に変形するものとなっており、帯状繊維シートを剥離する方向の力の発生を抑制するとともに、第１の木部材と第２の木部材とが相対的に変位したときに、含浸した樹脂の割れを抑制し、弱点の発生を防止することができる。
【００１２】
請求項３に係る発明は、請求項１又は請求項２に記載の木部材接合構造において、  前記第１の木部材の端面が前記第２の木部材に突き当てられた当接面の位置の両側にわたって前記非含浸部又は前記可撓部が設けられているものとする。
【００１３】
この木部材接合構造では、柱の端面を梁、土台等の横架材の上面又は下面に当接して接合する部分、梁・胴差等の横架材の端面を柱の側面に当接して接合する部分等において、双方が離れようとする力に抵抗するとともに、非含浸部又は可撓部の変形によって、双方の相対的な変位が生じても貼り付けた帯状繊維シートが剥離するのを抑制し、含浸した合成樹脂の割れによって弱点が生じるのを抑えることができる。
【００１４】
請求項４に係る発明は、請求項１又は請求項２に記載の木部材接合構造において、  前記第１の木部材の端面は、該第１の木部材の軸線とほぼ直角方向に軸線を有する第２の木部材の表面に突き当てて接合されており、  前記帯状繊維シートは、前記第１の木部材及び前記第２の木部材の軸線方向と傾斜した方向に軸線を有するものを含み、  該帯状繊維シートは、前記樹脂含浸部の前記第１の木部材に接着された部分と前記第２の木部材に接着された部分との間に、前記第１の木部材及び前記第２の木部材と離れて張架された部分を有し、
前記張架された部分が前記非含浸部又は前記可撓部となっているものとする。
【００１５】
この木部材接合構造では、柱の端面を梁、土台等の横架材の上面又は下面に当接して接合する部分、梁・胴差等の横架材の端面を柱の側面に当接して接合する部分で、双方の間の角度変化に抵抗する。そして、非含浸部又は可撓部の変形によって、双方の木部材間で張架された領域と隣接する部分で貼り付けた帯状繊維シートが剥離したり、含浸した合成樹脂の割れによって弱点が生じたりするのを抑えることができる。
【００１６】
請求項５に係る発明は、請求項４に記載の木部材接合構造において、  前記第１の木部材と前記第２の木部材との間で張架されるように貼り付けられた前記帯状繊維シートは、該帯状繊維シートの幅方向の位置によって所定幅当たりの繊維量が異なるものとする。
【００１７】
この木部材接合構造では、第１の木部材の端面と第２の木部材との間で張架された部分が破断するときの状態を制御することができる。例えば、第１の木部材の端面と第２の木部材との当接面から離れた位置における該帯状繊維シートの所定幅当たりの繊維量を増大することによって、接合する双方の木部材間の角度変化に対する剛性を大きくすることができる。また、外力によって大きな角度変化が生じたときには、第１の木部材の端面と第２の木部材との当接面から離れた位置における繊維が先に破断又は木部材から剥離する傾向があり、早期に繊維の破断又は剥離が生じるのを抑制することができる。一方、第１の木部材の端面と第２の木部材との当接面から離れた位置における該帯状繊維シートの所定幅当たりの繊維量を低減しておくことによって、繊維シートが破断するのにともなって接合する木部材間の曲げ剛性が徐々に低下するように制御することができる。
【００１８】
請求項６に係る発明は、請求項１から請求項５までのいずれかに記載の木部材接合構造において、  前記帯状繊維シートは、前記第１の木部材又は第２の木部材の表面の幅より小さい細幅の帯状となっており、複数の細幅の帯状繊維シートを幅方向に並べて前記第１の木部材及び前記第２の木部材に接着されているものとする。
【００１９】
この木部材接合構造では、帯状繊維シートが幅方向に並列された複数の部分に分割されていることにより、幅方向に繊維量を容易に変化させることができる。また、非含浸部又は可撓部では複数の細幅の帯状繊維シート毎に挙動することになり、幅方向に繊維の張力差が生じても、帯状繊維シートの繊維の方向の破断を抑止することができる。
【００２０】
請求項７に係る発明は、  軸線方向に連続する複数の繊維を含み、接合される第１の木部材及び第２の木部材の表面にわたって貼り付けられる帯状繊維シートを有し、  前記帯状繊維シートは、合成樹脂が含浸されて前記第１の木部材又は前記第２の木部材に接着される樹脂含浸部と、前記繊維が変形可能に露出されている非含浸部とを有し、  前記非含浸部が、前記樹脂含浸部の前記第１の木部材に接着される部分と前記第２の木部材に接着される部分との間に設けられている接合部補強材を提供するものである。
【００２１】
本発明の接合部補強材では、接合する第１の木部材と第２の木部材との双方にわたって貼り付けることによって、木部材の接合部を補強するとともに、非含浸部が変形可能であることによって貼り付けた帯状繊維シートの剥離が生じたり、帯状繊維シートに弱点が生じたりするのを抑制することができる。そして、帯状繊維シートには、木部材に貼り付ける部分を樹脂含浸部としてあらかじめ合成樹脂が含浸されているので、簡単な作業で木部材の接合部に容易に貼り付けることができる。また、樹脂含浸部と非含浸部とを正確に区分して形成することができる。
【００２２】
請求項８に係る発明は、  軸線方向に連続する複数の繊維を含み、接合される第１の木部材及び第２の木部材の表面にわたって貼り付けられる帯状繊維シートを有し、  前記帯状繊維シートは、第１の合成樹脂が含浸されて前記第１の木部材又は前記第２の木部材に接着される樹脂含浸部と、前記第１の合成樹脂より弾性係数の小さい第２の合成樹脂が含浸され、又は前記第１の合成樹脂より弾性係数の小さい第２の合成樹脂で被覆された可撓部と有し、  前記可撓部が、前記樹脂含浸部の前記第１の木部材に接着される部分と前記第２の木部材に接着される部分との間に設けられている接合部補強材を提供するものである。
【００２３】
この接合部補強材では、請求項７に記載の接合部補強材と同様に、接合する第１の木部材と第２の木部材との双方にわたって貼り付けることによって、木部材の接合部を補強するとともに、可撓部が柔軟に変形することによって貼り付けた帯状繊維シートの剥離が生じたり、帯状繊維シートに弱点が生じたりするのを抑制することができる。そして、簡単な作業で木部材の接合部に容易に貼り付けることができるとともに、木部材に貼り付ける前に樹脂含浸部及び可撓部とを正確に区分して、容易に合成樹脂を含浸する作業又は合成樹脂で繊維を被覆する作業を行うことができる。
【００２４】
請求項９に係る発明は、請求項７又は請求項８に記載の接合部補強材において、  前記第１の木部材は、該第１の木材の端面を前記第２の木部材の表面に当接して接合されるものであり、  前記帯状繊維シートは、前記第１の木部材の軸線方向に前記繊維を向けて接着されるものと、前記第１の木部材及び前記２の木部材の軸線と傾斜した方向に前記繊維を向けて接着されるものとを含み、  前記繊維の方向の異なる複数の前記帯状繊維シートが重ね合わされ、前記樹脂含浸部に含浸された合成樹脂によって互いに接着されているものとする。
【００２５】
この接合部補強材では、繊維の方向が異なる複数の帯状繊維シートが貼り合わされているので、複数の帯状繊維シートを木部材の接合部に効率よく貼り付けることができる。また、複数の帯状繊維シートが重ね合わされた部分でも正確に樹脂含浸部と非含浸部又は可撓部とを区分して形成することができる。
【発明の効果】
【００２６】
以上説明したように、本発明の木部材接合構造では、木部材の接合部を有効に補強するとともに、貼り付けた帯状繊維シートの剥離及び帯状繊維シートに含浸した合成樹脂の割れによる弱点の発生を抑制することができる。また、本発明の接合部補強部材では、接合する木部材の双方にわたって簡単に貼り付けることができ、木部材の接合部を補強するとともに、貼り付けた帯状繊維シートの剥離が生じたり、帯状繊維シートに弱点が生じたりするのを抑制することができる。
【図面の簡単な説明】
【００２７】
【図１】本発明の一実施形態である木部材接合構造の概略斜視図である。
【図２】図１に示す木部材接合構造で用いられる接合部補強材の正面図である。
【図３】図１に示す木部材接合構造で、接合する木部材間で相対的な変位が生じたときの帯状繊維シートの変形を示す概略側面図である。
【図４】図１に示す木部材接合構造で、接合する木部材間で相対的な変位が生じたときに木部材間に張架された帯状繊維シートの変形を示す概略斜視図である。
【図５】本発明の他の実施形態である木部材接合構造の概略斜視図である。
【図６】本発明の他の実施形態である木部材接合構造の概略斜視図である。
【図７】本発明の他の実施形態である木部材接合構造の概略斜視図である。
【図８】本発明の他の実施形態である木部材接合構造の概略斜視図である。
【図９】本発明の他の実施形態である木部材接合構造の概略斜視図である。
【図１０】本発明の他の実施形態である木部材接合構造の概略斜視図である。
【図１１】本発明の他の実施形態である木部材接合構造の概略斜視図である。
【図１２】本発明の他の実施形態である木部材接合構造の概略斜視図である。
【図１３】本発明の他の実施形態である木部材接合構造の概略斜視図である。
【発明を実施するための形態】
【００２８】
以下、本発明の実施の形態を図に基づいて説明する。
図１は、本発明の一実施形態である木部材接合構造を示す概略斜視図である。
この木部材接合構造は、コンクリートの基礎１上に支持された木部材である土台２の上に木製の柱３を立設した接合部を、帯状の繊維シートによって補強したものである。
上記土台２は、一端が基礎１のコンクリートに埋め込まれたアンカーボルト等（図示しない）によって基礎１に固定されている。そして、土台２の上に立設された柱３には、地震時等の水平力が作用したときに、土台２から引き抜こうとする方向の力及び土台２との角度変化を生じさせる方向の力が作用する。上記帯状繊維シート１１，１２，１３は、これらの力に抵抗するように柱３と土台２とにわたって貼り付けられたものである。
【００２９】
上記帯状繊維シート１１，１２，１３は、アラミド繊維を帯状となった繊維シートの軸線方向に配置し、横糸を用いて織ったものである。横糸はアラミド繊維を用いてもよいし、他の繊維を用いてもよい。アラミド繊維の量は、帯状繊維シートに必要とされる強度に応じて適宜に増減することができるものである。
なお、本実施の形態では、繊維としてアラミド繊維を用いているが、この他に炭素繊維、ガラス繊維、鉱物繊維等を用いることもできる。また、以下に説明する実施の形態についても同様である。
【００３０】
上記帯状繊維シートは、柱３の軸線方向に沿って柱３から土台２にわたり鉛直に貼り付けられた帯状繊維シート１１と、柱３及び土台２とほぼ４５°の角度をなすように柱３２ら土台２に架け渡すように貼り付けられた帯状繊維シート１２，１３とを含んでいる。鉛直方向に貼り付けられた帯状繊維シート１１は主に柱３を土台２から引き抜く方向の力に抵抗するものであり、傾斜して貼り付けられた帯状繊維シート１２，１３は主に柱３が傾斜するのに抵抗するものである。これらが一部を重ね合わせて貼り付けられている。
なお、傾斜して貼り付けられる帯状繊維シート１２，１３の傾斜角は４５°に限定されるものではなく適宜に設定することができる。
【００３１】
これらの帯状繊維シート１１，１２，１３は、柱又は土台に貼り付けられる部分であって、エポキシ樹脂が繊維間に含浸されて多数の繊維が一体となるように結合された樹脂含浸部１４と、繊維間にエポキシ樹脂が含浸されず、柱及び土台に接着されていない非含浸部１５とを有するものである。
上記樹脂含浸部１４は、所定長さの帯状繊維シート１１，１２，１３の両端部を含むものであり、エポキシ樹脂によって木製の柱３及び土台２の表面に貼り付けられている。
帯状繊維シート１１，１２，１３に含浸される合成樹脂及び土台２又は柱３に帯状繊維シートを接着する接着剤は、エポキシ樹脂に限定されるものではなく、高い接着力を有する他の合成樹脂を用いることもできる。以下に説明するすべての実施の形態についても同様である。
【００３２】
上記非含浸部１５は、上記樹脂含浸部の柱３に接着された部分と上記樹脂含浸部の土台２に接着された部分との間に設けられている。つまり、鉛直方向に貼り付けられる帯状繊維シート１１では、柱３に貼り付けられた部分１１ａ及び土台に貼り付けられた部分１１ｂが樹脂含浸部になっており、柱３と土台２との当接面４の両側の所定の範囲、例えば当接面４の位置から上下に１５ｍｍ程度の範囲１１ｃが非含浸部１５となっている。この領域については繊維間にエポキシ樹脂が含浸されず、柱３及び土台２に接着されていない。また、傾斜して柱３から土台２にわたって貼り付けられた帯状繊維シート１２，１３は、幅方向の一部が柱３と土台２との当接面４の位置を越えるように貼り付けられるとともに、一部１２ｄ，１３ｄがほぼ直角となるように接合された柱３と土台２との間で張架され、その両端部側１２ａ，１２ｂ，１３ａ，１３ｂが柱３及び土台２に貼り付けられている。この帯状繊維シート１２，１３の柱３に接着された樹脂含浸部１２ａ，１３ａと土台２に接着された樹脂含浸部１２ｂ，１３ｂとの間、つまり柱３と土台２との当接面４をまたぐ両側の所定範囲１２ｃ，１３ｃ、及び柱と土台との間で張架されたほぼ三角形となった領域１２ｄ，１３ｄが非含浸部１５となっている。
これらの非含浸部１５にはエポキシ樹脂が含浸されずに織られた繊維が露出しており、帯状繊維シート１１，１２，１３は柱３及び土台２から離れて柔軟に変形が可能となっている。
【００３３】
柱３から土台２にかけて鉛直方向に貼り付けられる帯状繊維シート１１及び斜め方向に貼り付けられる帯状繊維シート１２，１３は、図１に示すように接合される柱３と土台２との側面に貼り付けられるとともに、柱３及び土台２の背面側にも同様に貼り付けられる。
【００３４】
上記帯状繊維シート１１，１２，１３は次のように柱３及び土台２に貼り付けることができる。
鉛直方向に貼り付ける帯状繊維シート１１及び柱３に対して斜め方向に貼り付ける帯状繊維シート１２，１３を、それぞれ一枚ずつ分離した状態でエポキシ樹脂を塗布し、含浸させる。そして、土台２とこの上に立設されている柱３の側面に押し付け、含浸させたエポキシ樹脂で柱３及び土台２に接着する。このとき非含浸部１５となる領域には、塗布しないようにして繊維が露出した状態で残す。このようにして順次に帯状繊維シート１１，１２，１３を一部が重なるように貼り付けることができる。また、非含浸部１５となる部分にはあらかじめマスキングを施してエポキシ樹脂が含浸しないようにするのが望ましい。マスキングとしては、例えば粘土状の塑性体によって帯状繊維シート１１，１２，１３を被覆することができる。そして、エポキシ樹脂を含浸して柱３及び土台２に貼り付けた後に、塑性体を除去又は洗い流すことができる。
【００３５】
一方、帯状繊維シートはあらかじめ工場等においてエポキシ樹脂を所定の領域に含浸し、樹脂含浸部と非含浸部とが形成された接合部補強材としておき、これを木部材の接合部に貼り付けることもできる。
図２は、あらかじめ製作された接合部補強材１０を示す正面図である。
この接合部補強材は、図１に示すように鉛直方向に柱から土台にわたって貼り付けられる帯状繊維シート１１と柱３及び土台２とほぼ４５°となるように貼り付けられる帯状繊維シート１２，１３に、それぞれエポキシ樹脂を含浸させ、これらを重ね合わせて一体としたものである。そして、柱３に貼り付けられる領域１０ａ及び土台２に貼り付けられる領域１０ｂはエポキシ樹脂が含浸された樹脂含浸部１４となっており、柱３と土台２とに貼り付けたときに、柱３の下端面と土台２の上面との当接位置の上下における所定の領域１０ｃ及び柱３と土台２との間で張架されるほぼ三角形の領域１０ｄはエポキシ樹脂が含浸されていない非含浸部１５となっている。非含浸部１５の形成は、帯状繊維シート１１，１２，１３を一枚ずつ柱３及び土台２に貼り付ける場合と同様に、マスキング等の手段を用いることができる。
このようにあらかじめ製作された接合部補強材１０を用いることによって、木部材の接合部に帯状繊維シートを貼り付けて補強する作業を効率よく行うことができる。
【００３６】
以上に説明したように帯状繊維シート１１，１２，１３を貼り付けて補強された木部材の接合部は、地震等によって大きな水平力が作用したときに次のように挙動する。
図３は、水平力によって柱３が帯状繊維シート１１，１１’を貼り付けた面と直角方向に傾いた状態を示す概略図である。地震時には繰り返し方向が反転する水平力が作用し、柱３及び土台２の両面に貼り付けられた帯状繊維シートの一方１１’には引張力が作用して伸びが生じる。そして、他方の帯状繊維シート１１には押し縮める方向の変形が生じる。このとき、柱３と土台２との当接面４の上下にわたる所定の範囲１１ｃは非含浸部となっており、図３に示すように帯状繊維シート１１が柔軟に変形し、帯状繊維シート１１の柱３又は土台２に接着された部分１１ａ，１１ｂ、及び含浸したエポキシ樹脂に過大な応力が発生するのが回避される。つまり、柱３に貼り付けられた部分から土台に貼り付けられた部分にかけて連続するようにエポキシ樹脂が含浸されていると、硬化したエポキシ樹脂の剛性によって帯状繊維シートを剥がす方向の力が作用したり、硬化したエポキシ樹脂に割れが生じたりすることがあるが、このような事態が回避される。
【００３７】
一方、図４は水平力が帯状繊維シート１１，１２，１３を貼り付けた面に沿った方向に作用したときの状態を示す概略斜視図である。この図に示すように、柱３が傾斜して柱３と土台２との角度が変化すると、柱３から両側の斜め下方に張架されて土台に貼り付けられた帯状繊維シートの一方１２に引張力が作用し、他方１３には図４中に一点鎖線で示すように緩みが生じる。帯状繊維シートの張架された部分１２ｄ，１３ｄはエポキシ樹脂が含浸されていない非含浸部となっており、緩みが生じたときに柔軟に変形し、柱３と土台２と間の角度変化に追従する。したがって、張架された部分１２ｄ，１３ｄの両側で帯状繊維シート１２，１３に剥離する方向の力が作用したり、帯状繊維シート１２，１３に含浸されているエポキシ樹脂に割れが生じたりするのを回避することができる。また、柱３から土台２にかけて鉛直方向に貼り付けられた帯状繊維シート１１は、上記柱３の傾斜によって一方の縁部で引張力が作用し、他方の縁部で緩みが生じるが、柱３と土台２との当接面４の上下両側が非含浸部１５となっているので柱３の傾斜に追従し、帯状繊維シート１１の剥離やエポキシ樹脂の割れが回避される。
【００３８】
図１から図４までに示す木部材接合構造及び接合部補強材１０は、帯状繊維シートの樹脂含浸部である柱に貼り付けられる部分１１ａ，１２ａ，１３ａと土台２に貼り付けられる部分１１ｂ，１２ｂ，１３ｂとの間にエポキシ樹脂が含浸されていない非含浸部１５を有するものであるが、上記非含浸部１５に代えて、樹脂含浸部に含浸された樹脂より弾性係数の小さい合成樹脂を同じ領域の繊維間に含浸させた可撓部としてもよい。また、該可撓部は同じ領域の繊維を被覆するように帯状繊維シートに合成樹脂を塗布したものであってもよい。
可撓部に含浸又は被覆する合成樹脂は、弾性係数の小さいものが望ましく、例えばシリコーン樹脂を用いることができる。
このように弾性係数の小さい合成樹脂の含浸又は被覆により、柱３と土台２との間で相対的変位が生じたときに可撓部が柔軟に変形し、上記非含浸部１５と同様に帯状繊維シートの剥離や帯状繊維シートの割れを回避することができる。また、柔らかい合成樹脂で被覆することにより、他の部材の接触等による繊維の損傷を抑制することができる。
【００３９】
図５は、本発明の他の実施形態である木部材接合構造を示す概略斜視図である。
この接合構造では、柱３の軸線に沿って鉛直方向にのみ帯状繊維シート２１が貼り付けられている。この帯状繊維シート２１によって主に柱３の引き抜きに対する補強を行うものであり、柱３に貼り付けられた領域２１ａ及び土台２に貼り付けられた領域２１ｂが樹脂含浸部となっており、柱３の下端面と土台２の上面との当接面４の上下両側にわたる領域２１ｃが非含浸部又は可撓部となっている。
【００４０】
図６は、柱３が立設される位置で土台２に他の土台５が直角方向に接合されている接合部を、帯状繊維シート３１，３２を貼り付けることによって補強したものである。この接合構造では、他の土台５が接合されている側の柱３及び土台２の側面には柱３の軸線に沿って鉛直方向に帯状繊維シートを貼り付けることができず、傾斜した方向の帯状繊維シート３１，３２のみが貼り付けられている。このような接合構造でも、傾斜して貼り付けられた帯状繊維シー３１，３２トの柱３と土台２との間で張架された部分３１ｄ，３２ｄを非含浸部又は可撓部とすることにより、帯状繊維シート３１，３２の剥離及び割れを回避することができる。
【００４１】
図７に示す木部材接合構造は、図１に示す構造と同様に、帯状繊維シート４１を柱３の軸線に沿って鉛直方向に貼り付けるとともに柱３から土台２にかけて斜め方向に帯状繊維シート４２，４３を貼り付けたものである。ただし、この構造では、斜め方向に貼り付けた帯状繊維シート４２，４３は、柱３と土台２との間で張架されるものではなく、柱３の下端面と土台２の上面との当接面４を越えて柱３及び土台２の側面の範囲内に貼り付けられている。そして、柱３と土台２との当接面４の位置の上下両側にわたる所定の範囲４４が、帯状繊維シート４２，４３の繊維が露出した非含浸部又は柔軟な合成樹脂が含浸又は被覆された可撓部となっている。
【００４２】
図８は、建築物の出隅部における土台７と柱６との接合構造を示すものであり、２つの木部材をほぼ直角方向に突き合わせた土台７ａ，７ｂと、この土台７の隅角部上に立設された柱６との接合部を、帯状繊維シートを貼り付けることによって補強したものである。
この接合構造では、出隅部の柱の外側となる２つの側面から鉛直方向に土台７ａ，７ｂにかけて帯状繊維シート５１，５２が貼り付けられるとともに、この鉛直方向の帯状繊維シート５１，５２に重ねて柱６から土台７へ斜め下方に帯状繊維シート５３，５４が貼り付けられている。斜め方向に貼り付けられた帯状繊維シート５３，５４は、柱６に貼り付けられた部分５３ａ，５４ａと土台７に貼り付けられた部分５３ｂ，５４ｂとの間には、柱６又は土台７の側面から離れて張架された部分があり、このほぼ三角形となった部分５３ｃ，５４ｃは非含浸部又は可撓部となっている。また、鉛直方向に貼り付けられた帯状繊維シート５１，５２及び斜め方向に貼り付けられた帯状繊維シート５３，５４の、柱６と土台７との当接面をまたぐ部分５５では当接面の位置の上下の所定範囲が非含浸部又は可撓部となっている。
【００４３】
図９に示す木部材接合構造は、図１に示す構造と同様に、柱３と土台２との接合部で柱３に沿って鉛直方向に帯状繊維シート６１を貼り付けるとともに、柱３から土台２にかけてほぼ４５°の角度で帯状繊維シート６２，６３を貼り付けたものである。そして、ほぼ４５°に傾斜して貼り付けられた帯状繊維シート６２，６３は柱３と土台２との間において張架されている。
この構造では、柱３と土台２との間に張架された部分６２ｄ，６３ｄはエポキシ樹脂が含浸されており、非含浸部又は可撓部とはなっていない。柱３の下端面と土台２の上面との当接面４の位置の上下両側では所定の範囲６４が非含浸部又は可撓部になっている。
この接合構造は、例えば傾斜して貼り付けられた帯状繊維シート６２，６３の厚さが小さく、柱３と土台２との間で張架されている部分６２ｄ，６３ｄにエポキシ樹脂が含浸されていてもたわみが可能となる場合に採用することができる。つまり、図４に示すように柱３と土台２との間に角度変化が生じたときに、エポキシ樹脂に割れが生じることなく湾曲するように変形して追従することできる場合には、張架された部分を非含浸部又は可撓部とすることなく、割れによって弱点が生じるのを回避することができる。
【００４４】
図１０に示す木部材接合構造も、図１に示す構造と同様に、柱３と土台２との接合部で柱３に沿って鉛直方向に帯状繊維シート７１を貼り付けるとともに、柱３から土台２にかけてほぼ４５°の角度で帯状繊維シート７２，７３を貼り付けたものである。そして、ほぼ４５°に傾斜して貼り付けられた帯状繊維シート７２，７３の一部は柱３と土台２との間において張架されている。この接合構造では傾斜して貼り付けられた帯状繊維シート７２，７３が、図１０に示すように、柱３又は土台２となる木部材の幅より小さい幅のものを複数並列させたものとなっている。そして、図１に示す接合構造と同様に、柱３の下端面と土台２の上面との当接面４に対応する位置の上下にわたる所定範囲７４と、柱３と土台２との間で張架された領域７５とが非含浸部又は可撓部となっている。
【００４５】
この接合構造では、斜め方向に並列された細幅の帯状繊維シート毎に所定幅当たりの繊維量を変えることが容易に可能となる。つまり、柱３と土台２との当接面４から離れた位置にあって、張架された長さが大きい細幅の帯状繊維シート７２ａ，７３ａの繊維量を、柱３と土台２との当接面４に近い位置に貼り付けられた細幅の帯状繊維シート７２ｂ，７３ｂより大きくすること、又は小さくすることができる。例えば柱３が大きく傾斜して張架された帯状繊維シート７２，７３が破断するときに、柱３と土台２との当接面４から離れた位置にある細幅の帯状繊維シート７２ａ，７３ａの繊維量を小さくしておき、柱３と土台２との当接面４から離れた位置から順次に破断するように設定することによって破断時における接合部の剛性の低下をコントロールすることができる。
また、柱３と土台２との当接面から離れた位置にある細幅の帯状繊維シート７２ａ，７３ａの繊維量を大きくしておき、柱３と土台２との接合部の角度変化に対する剛性を大きく設定することもできる。
【００４６】
以上に説明した実施の形態は、いずれも柱と土台との接合構造であったが、本発明は木造建築物の他の部位についても適用することができるものである。
図１１に示す木部材接合構造は、下層階の柱８１の上に梁８２を支持し、該梁８２の上に上層階の柱８３を立設した接合部を帯状繊維シートによって補強した構造を示すものである。
この接合構造では、上層階の柱８３の側面から梁８２の側面を経て下層階の柱８１の側面に連続する帯状繊維シート９１が貼り付けられている。また、上層階の柱８３の下部から左右両側の斜め下方に向けて梁８２の側面に至る帯状繊維シート９２，９３及び下層階の柱８１の上部から左右両側の斜め上方に向けて梁８２の側面に至る帯状繊維シート９４，９５が貼り付けられている。そして、これらの帯状繊維シートの、上層階の柱８３の下端面と梁８２の上面とが当接する位置の上下の所定の範囲９７及び梁８２の下面と下層階の柱８１の上端面とが当接する位置の上下の所定範囲９８が非含浸部又は可撓部となるととともに、上層階の柱８３と梁８２との間及び下層階の柱８１と梁８２との間で張架されたほぼ三角形の部分９９が非含浸部又は可撓部となっている。
【００４７】
図１２は、柱８４の側面に梁８５の端面を突き当てて接合した接合部を、帯状繊維シートを用いて補強した接合構造を示すものである。
このような接合構造では、梁８５のせん断力が梁受け金物によって伝達される構造、柱及び梁の端部に加工を施して嵌め合わせることによってせん断力が伝達される構造が広く採用されているが、これらの構造に代えて、又はこれらの構造とともに帯状繊維シート１０１，１０２，１０３を貼り付けることによって補強するものである。
この接合構造では、梁８５の軸線に沿ってほぼ水平に梁８５の側面から柱８４の側面に貼り付けられる帯状繊維シート１０１と、梁８５の側面から斜め上方の柱８４の側面に貼り付けられる帯状繊維シート１０２と、梁８５の側面から斜め下方の柱８４の側面に貼り付けられる帯状繊維シート１０３とが用いられており、これらが重ね合わせて貼り付けられている。梁８５の側面から斜め上方及び斜め下方に向けて貼り付けられる帯状繊維シート１０２，１０３は、梁８５と柱８４との間で梁８５の側面又は柱８４の側面から離れて張架された領域１０４が設けられている。これらの帯状繊維シート１０１，１０２，１０３の、梁８５の端面と柱８４の側面との当接面１０６に対応する位置の両側の所定範囲１０５と、梁８５と柱８４との間で張架された領域１０４とが非含浸部又は可撓部となっている。なお、本実施の形態のように梁８５が柱８４の側面に接合されるものでは、梁８５から斜め下方の柱８４に貼り付けられる帯状繊維シート１０３を省略することもできる。
【００４８】
図１３に示す接合構造は、同一軸線上に配置された梁、胴差等の２つの横架材８６，８７を、端面を突き合すように接続するものであり、接合部分が帯状繊維シートを用いて補強されている。
接続する横架材の一方８６の端部は下部が突出するように加工され、他方の横架材８７の端部は上部が突出するように加工されている。そして一方の横架材８６の端部に他方８７を載せ掛けるように接合するものである。これらの横架材８６，８７に、側面に沿ってほぼ水平に帯状繊維シート１１１が貼り付けられている。そして、貼り付けられた帯状繊維シート１１１の、双方の横架材８６，８７の鉛直方向の端面８８が対向する位置と双方が重ね合わされた水平面８９の位置とを覆う領域１１２が、帯状繊維シート１１１にエポキシ樹脂が含浸されていない非含浸部又はエポキシ樹脂より弾性係数の小さい合成樹脂が含浸されるか又は合成樹脂で被覆された可撓部となっている。この非含浸部又は可撓部は横架材８６，８７に接着されておらず、接続された２つの横架材間で軸線方向の相対的な変位、双方間の角度変化等が生じたときに、上記非含浸部又は可撓部が柔軟に変形してエポキシ樹脂の割れや帯状繊維シートの剥離を防止するものである。
【符号の説明】
【００４９】
１：基礎，  ２：土台，  ３：柱，  ４：柱と土台との当接面，  ５：土台，  ６：柱，  ７：土台，
１０：接合部補強材，１１：鉛直方向に貼り付けられた帯状繊維シート，  １１ａ：柱に接着された樹脂含浸部，  １１ｂ：土台に接着された樹脂含浸部，  １１ｃ：柱と土台との当接面をまたぐ両側の範囲，  １２，１３：傾斜して貼り付けられた帯状繊維シート，１２ａ，１３ａ：柱に接着された樹脂含浸部，  １２ｂ，１３ｂ：土台に接着された樹脂含浸部，  １２ｃ，１３ｃ：柱と土台との当接面をまたぐ両側の範囲，  １２ｄ，１３ｄ：柱と土台との間で張架されたほぼ三角形となった領域，  １４：樹脂含浸部，  １５：非含浸部，
２１：帯状繊維シート，  ２１ａ：柱に貼り付けられた領域，  ２１ｂ：土台に貼り付けられた領域，  ２１ｃ：柱と土台２との当接面の両側にわたる領域，
３１，３２：帯状繊維シート，  ３１ｄ，３２ｄ：柱と土台との間で張架された部分，
４１：鉛直方向に貼り付けられた帯状繊維シート，  ４２，４３：斜め方向に貼り付けられた帯状繊維シート，  ４４：柱と土台２との当接面の位置の上下両側にわたる所定の範囲，
５１，５２：鉛直方向に貼り付けられた帯状繊維シート，  ５３，５４：斜め方向に貼り付けられた帯状繊維シート，  ５３ａ，５４ａ：帯状繊維シートの柱に貼り付けられた部分，  ５３ｂ，５４ｂ：帯状繊維シートの土台に貼り付けられた部分，  ５３ｃ，５４ｃ：帯状繊維シートの張架されたほぼ三角形の部分，  ５５：帯状繊維シートの柱と土台との当接面をまたぐ部分，
６１：鉛直方向に貼り付けられた帯状繊維シート，  ６２，６３：斜め方向に貼り付けられた帯状繊維シート，  ６２ｄ，６３ｄ：柱と土台との間で張架された部分，
７１：鉛直方向に貼り付けられた帯状繊維シート，  ７２，７３：斜め方向に貼り付けられた帯状繊維シート，  ７２ａ，７３ａ：張架された長さが大きい細幅の帯状繊維シート，  ７２ｂ，７３ｂ：柱と土台との当接面に近い位置に貼り付けられた細幅の帯状繊維シート，  ７４：柱と土台２との当接面の位置の上下にわたる所定の範囲，  ７５：柱と土台との間で張架された領域，
８１：下層階の柱，  ８２：梁，  ８３：上層階の柱，  ８４：柱，  ８５：梁，  ８６，８７：横架材，  ８８：横架材の鉛直方向の端面，  ８９：横架材の端部が重ね合わされた水平面，
９１：鉛直方向に貼り付けられた帯状繊維シート，  ９２，９３，９４，９５：斜め方向に貼り付けられた帯状繊維シート，  ９７：帯状繊維シートの、上層階の柱と梁とが当接する位置の上下の所定の範囲，  ９８：帯状繊維シートの、下層階の柱と梁とが当接する位置の上下の所定範囲，  ９９：柱と梁との間で張架されたほぼ三角形の部分，
１０１：水平方向に貼り付けられた帯状繊維シート，  １０２，１０３：斜め方向に貼り付けられた帯状繊維シート，  １０４：柱と梁との間で張架された領域，  １０５：柱と梁との当接面の位置の両側の所定範囲，  １０６：梁の端面と柱の側面との当接面，
：柱と梁との間で張架されたほぼ三角形の部分，
１１１：帯状繊維シート，  １１２：接続する横架材の鉛直方向の端面の位置と双方が重ね合わされた水平面の位置とを覆う領域
【図１】
2018131869.tif 000003
【図２】
2018131869.tif 000004
【図３】
2018131869.tif 000005
【図４】
2018131869.tif 000006
【図５】
2018131869.tif 000007
【図６】
2018131869.tif 000008
【図７】
2018131869.tif 000009
【図８】
2018131869.tif 000010
【図９】
2018131869.tif 000011
【図１０】
2018131869.tif 000012
【図１１】
2018131869.tif 000013
【図１２】
2018131869.tif 000014
【図１３】
2018131869.tif 000015